(57)【特許請求の範囲】
【請求項１】
メタクリル酸、メタクリル酸ｎ−ブチル、アクリル酸エチル、およびメタクリル酸エチルの混合物からなるモノマー組成物を懸濁重合に付すことを含む、アクリル系ポリマービーズの調製方法。
【請求項２】
前記モノマー組成物が、メタクリル酸を１０〜３０重量％と、メタクリル酸ｎ−ブチルを３５〜６５重量％と、アクリル酸エチルを５〜１５重量％と、メタクリル酸エチルを１０〜３５重量％との混合物からなることを特徴とする、請求項１に記載の方法。
【請求項３】
前記モノマー組成物が、メタクリル酸を１７〜２２重量％と、メタクリル酸ｎ−ブチルを４４〜５６重量％と、アクリル酸エチルを９〜１５重量％と、メタクリル酸エチルを１５〜２５重量％との混合物からなることを特徴とする、請求項１に記載の方法。
【請求項４】
前記モノマー組成物中のメタクリル酸エチル（ＥＭＡ）およびアクリル酸エチル（ＥＡ）の量が、ＥＭＡ対ＥＡの比率（ｗ／ｗ）が４〜１の範囲になる量であることを特徴とする、請求項１〜３のいずれか一項に記載の方法。
【請求項５】
前記モノマー組成物中のメタクリル酸の量が２５重量％未満であることを特徴とする、請求項１〜４のいずれか一項に記載の方法。
【請求項６】
前記方法が、前記ビーズを単離した後に、４０〜１００℃で乾燥するステップをさらに含むことを特徴とする、請求項１〜５のいずれか一項に記載の方法。
【請求項７】
前記乾燥ステップが、３〜４０時間実施されることを特徴とする、請求項６に記載の方法。
【請求項８】
請求項１〜７のいずれか一項に記載の方法により調製されたアクリル系ポリマービーズ。
【請求項９】
前記ビーズの残留モノマー含有量が２５０ｐｐｍ未満であることを特徴とする、請求項８に記載のアクリル系ポリマービーズ。
【請求項１０】
請求項８または９に記載のアクリル系ポリマービーズおよび化粧料に許容される担体を含む化粧料組成物。
【請求項１１】
前記組成物が、前記アクリル系ポリマービーズを、前記化粧料組成物の総重量を基準として０．０１〜２０重量％の量で含むことを特徴とする、請求項１０に記載の化粧料組成物。
【請求項１２】
整髪剤であることを特徴とする、請求項１１に記載の化粧料組成物。
【請求項１３】
スタイリングクリーム、スタイリングジェル、リキッドヘアセット剤、ヘアフォーム、またはヘアスプレーの形態であることを特徴とする、請求項１２に記載の整髪剤。
【請求項１４】
少なくとも１種のさらなる毛髪固定用樹脂をさらに含むことを特徴とする、請求項１２または１３に記載の整髪剤。
【請求項１５】
請求項８または９に記載のアクリル系ポリマービーズの整髪用ポリマーとしての使用。
【発明の詳細な説明】
【発明の詳細な説明】
【０００１】
本発明は、残留モノマー含有量が非常に低いアクリル系ポリマービーズおよびこれらのヘアケア製剤、特にスタイリング剤における使用に関する。
【０００２】
アクリル酸エステル共重合体、例えば、ルビマー（Ｌｕｖｉｍｅｒ）（登録商標）（ＢＡＳＦ）、Ｂａｌａｎｃｅ（登録商標）（アクゾ・ノーベル（Ａｋｚｏ  Ｎｏｂｅｌ））、アキュダイン（Ａｃｕｄｙｎｅ）（登録商標）（ローム・ウント・ハース（Ｒｏｈｍ  ｕｎｄ  Ｈａａｓ））等は、エアゾール式および非エアゾール式スプレーのセット用ポリマーとしてヘアケア産業に幅広く使用されている。これらのポリマーは乳化重合技術を用いて調製され、こうすることにより、分子量、ナノメートルオーダー（典型的には５０〜３００ｎｍ）の粒度、残留モノマー含有量といったポリマーの重要なパラメータを適切に制御することが可能になる。しかしながら、乳化重合ではミクロンサイズの粒子は得られない。エマルジョンポリマーを乾燥すると粒度が細かくなるため、懸濁重合によって得られるポリマービーズの乾燥物と比較するとはるかに飛散性の高いものになる。他方、飛散の問題を回避するべくポリマーエマルジョンをそのまま使用する場合は細菌や真菌の増殖を防ぐために防腐処理を施す必要がある。
【０００３】
乾燥したエマルジョンポリマーの飛散性の問題はビーズ型懸濁重合によって克服することができる。これは、ミクロンサイズの球状ビーズまたはパールとして形成されたポリマーが得られる周知の重合法である。しかしながら、たとえ最終的に脱水および洗浄サイクルを行って固定水相と一緒に水溶性の副生成物を除去することができたとしても、水に不溶な副生成物、特に未反応モノマー等がポリマービーズ内部に留まってしまい、特にモノマーがアクリル酸／メタクリル酸およびこれらのエステル由来である場合は、特徴的な異臭、ガラス転移温度（Ｔｇ）の低下、および毒性の問題を引き起こす。
【０００４】
したがって、アクリル系ポリマービーズが着色剤、写真用途、インク、またはプラスチックの分野に幅広く用いられているとは言っても、残留モノマー含有量に由来する毒性の問題のため、パーソナルケア製品、特にヘアケア製剤等の用途は依然として限られている。
【０００５】
したがって、化粧料用途、特にヘアケア製剤等に用いるための、残留モノマー含有量が２５０ｐｐｍ未満、特に１００ｐｐｍ未満等と非常に低いアクリル系ポリマービーズを調製する方法が絶えず望まれ続けている。
【０００６】
さらにこの種のアクリル系ポリマービーズは、加工および保管中にビーズ同士が付着するのを防ぐために、Ｔｇが十分に高く、少なくとも４５℃、特に８０〜１２０℃であることが必要である。工業的に実用的であるためには、ビーズを得るための方法が、モノマー含有量を低くするための複雑な精製工程を必要とせず、効率的かつ経済的に魅力的であるべきである。さらに、ビーズは防腐剤を含まず、飛散せず、自由流動性であり、かつ容易に溶解し、たとえ分離剤を添加しなくても凝塊を生じないことが必要である。
【０００７】
さらに、アクリル系ポリマービーズは、慣用の化粧料成分との混和性を有するとともに、ポンプまたはエアゾール式スプレーとして溶剤または溶剤混合物中に容易に配合されるべきである。毛髪に適用されたアクリル系ポリマービーズは、たとえ大気中の湿度が高くても速やかに乾燥し、毛髪を十分にセットするとともに長時間保持し（例えば、良好なカール保持性など）、かつ良好な洗髪性を有するべきである。さらに、処理された毛髪は良好な触感、例えば、べとつきのない良好な手触り等を有するべきである。
【０００８】
驚くべきことに、メタクリル酸、メタクリル酸ｎ−ブチル、およびアクリル酸エチルの混合物を懸濁重合することにより得ることができるアクリル系ポリマービーズの残留モノマー含有量を、メタクリル酸エチルを添加することによって大幅に低下させることが可能であることが見出された。
【０００９】
したがって、第１の実施形態において、本発明は、メタクリル酸（ＭＡＡ）、メタクリル酸ｎ−ブチル（ＢＭＡ）、アクリル酸エチル（ＥＡ）、およびメタクリル酸エチル（ＥＭＡ）の混合物からなるモノマー組成物を懸濁重合させることを含む、アクリル系ポリマービーズの調製方法に関連する。
【００１０】
本発明に関連する「ポリマービーズ」という用語は、例えば濾過または遠心分離によって簡単に単離されるポリマー粒子を意味する。本発明に関連するポリマービーズは、典型的には、平均径が少なくとも５０μｍ、好ましくは少なくとも１５０μｍである。通常、ビーズの直径は５０〜１５００μｍ、特に１５０〜４００μｍ等である。
【００１１】
特定の実施形態においては、モノマー組成物は、メタクリル酸を１０〜３０重量％、メタクリル酸ｎ−ブチルを３５〜６５重量％、アクリル酸エチルを５〜１５重量％、およびメタクリル酸エチルを１０〜３５重量％、特に、メタクリル酸を１５〜２５重量％、メタクリル酸ｎ−ブチルを３８〜６０重量％、アクリル酸エチルを８〜１５重量％、およびメタクリル酸エチルを１５〜２５重量％等、その中でも特に、メタクリル酸を１７〜２２重量％、メタクリル酸ｎ−ブチルを４４〜５６重量％、アクリル酸エチルを９〜１５重量％、およびメタクリル酸エチルを１５〜２５重量％等の混合物からなる。
【００１２】
メタクリル酸を１５〜２２重量％、メタクリル酸ｎ−ブチルを４４〜５６重量％、アクリル酸エチルを９〜１５重量％、およびメタクリル酸エチルを１８〜２２重量％からなるモノマー混合物を用いることによって特にモノマー含有量が低くなる。
【００１３】
本発明に従い用いられる「からなる（ｃｏｎｓｉｓｔｉｎｇ  ｏｆ）」という用語は、モノマーの総量が理想的には合計１００重量％になることを意味する。しかしながら、例えば、各原料に由来する少量の不純物や添加剤が、例えば、５重量％未満、好ましくは３重量％未満等の量で存在する可能性を除外するものではない。
【００１４】
好ましくは、上に概要を述べた本発明によるモノマー組成物中のメタクリル酸エチル（ＥＭＡ）対アクリル酸エチル（ＥＡ）の比（ｗ／ｗ）は、４：１〜１：１の範囲、好ましくは２：１〜１：１の範囲、特に２：１〜１．３：１．０の範囲から選択される。これはＥＭＡ／ＥＡの比率として表すこともでき、これに従えば、好ましくは、４〜１の範囲、好ましくは２〜１の範囲、特に約２．０〜１．３の範囲等から選択されるべきである。
【００１５】
さらに好ましくは、本発明によるモノマー組成物中に使用されるメタクリル酸の量は、残留モノマー含有量をさらに低下させることを目的として、モノマーの総量を基準として２５重量％未満、例えば約１５〜２２重量％、特に約１７〜２２重量％、その中でも特に約２０重量％である。
【００１６】
特に好ましくは、ポリマーが水またはアルコールおよびこれらの混合物中に十分に溶解すると同時に残留モノマー含有量が極めて低くなるように、モノマー組成物のＭＡＡ含有量は、約１５〜２２重量％、特に１７〜２２重量％の範囲から選択され、ＥＭＡ／ＥＡの比率は約２．０〜１．３の範囲から選択される。
【００１７】
他の実施形態においては、本発明は、本発明による方法により得ることができるアクリル系ポリマービーズに関する。特に、本発明によるアクリル系ポリマービーズの残留モノマー含有量は、２５０ｐｐｍ未満、特に１００ｐｐｍ未満等である。
【００１８】
本発明によるアクリル系ポリマービーズは、実施例に例示するように、当該技術分野において周知の方法に従い懸濁重合（結果として得られるポリマー粒子の形状から、粒状、ビーズ、またはパール重合としても周知である）により調製される。
【００１９】
本発明のアクリル系ポリマービーズを得るためのモノマー重合用開始剤は、一般にアクリレートモノマーのラジカル重合に適しており、油溶性であり、かつ水溶性が低いもの、例えば、有機過酸化物、有機パーオキシエステル、有機アゾ開始剤等である。開始剤は、通常、モノマーの総含有量を基準として約０．０１〜１重量％の量で使用される。
【００２０】
有用な連鎖移動剤としては、メルカプタン、四臭化炭素、およびこれらの混合物が挙げられる。ドデシルメルカプタンが好ましい。連鎖移動剤は、通常、モノマーの総含有量を基準として約０．０１〜１．０重量％の量、好ましくは０．０１〜０．５重量％の量で使用される。
【００２１】
場合により、水相における重合を禁止する水溶性禁止剤を添加することができ、こうすることによって、ビーズの凝集に至る可能性のあるポリマーの過剰な形成を引き起こす水相中での乳化および／もしくは溶液重合または乳化型重合が阻止される。好適な禁止剤としては、チオ硫酸塩、チオシアン酸塩、水溶性ヒドロキノン、および亜硝酸塩から選択されるものが挙げられる。これを使用する場合、水溶性禁止剤は、通常、モノマーの総含有量１００部を基準として約０．０１〜約１重量部の量で添加される。
【００２２】
さらに、懸濁液を安定化させて安定なビーズを得るために、水溶性または水分散性高分子安定剤が必要である。好ましくは、安定剤は、水溶性または水分散性の合成ポリマー、例えば、ポリビニルアルコール、ゼラチン、スターチ、メチルセルロース、カルボキシメチルセルロース、ヒドロキシエチルセルロース、ポリ（メタ）アクリル酸およびこれらのナトリウム塩等である。安定剤は、好ましくは、モノマーの総含有量を基準として約０．００１〜１０重量％の量、より好ましくは約０．０１〜１重量％の量で使用される。
【００２３】
場合により他の添加剤、例えば、１、２、および３価の金属塩、ホウ砂、尿素、グリオキサル、および尿素ホルムアルデヒド樹脂等を使用することができる。最終生成物中およびその使用中における微生物の増殖を抑制するために殺生物剤（抗細菌および真菌剤のいずれも）も添加することができる。
【００２４】
モノマー、ラジカル開始剤、および任意的な材料を前述した比率で混合することによりプレミックスを形成することができる。安定剤を、水、次いでプレミックスと合一することにより水中油滴型懸濁液を形成することができる。結果として得られた懸濁液は、典型的には、モノマープレミックスを約１０〜約５０重量パーセントおよび水相を約９０〜約５０重量パーセントを含む。本発明によるビーズ型懸濁重合は、典型的には熱的に開始される重合であり、好ましくは約４０℃〜９０℃の温度で撹拌しながら約２〜約１６時間実施される。ビーズを濾過や遠心分離等の標準的な方法に従い単離した後、残留モノマー含有量をさらに２５０ｐｐｍ未満、特に１００ｐｐｍ未満等の量に低減するために、ビーズを好ましくは長時間、好ましくは約４０〜１００℃以上、好ましくは約８０〜１００℃で乾燥させる。乾燥は当業者に一般に周知の手段で、例えば、流動床乾燥機や従来型オーブン等で実施することができる。乾燥時間は当業者によって容易に調整することができ、通常は３〜４０時間、例えば約８〜２０時間等、特に約８〜１０時間で実施される。
【００２５】
したがって、さらなる実施形態においては、本発明は、本発明による方法に関連し、上記方法は、ビーズを単離した後、４０〜１００℃、特に８０〜１００℃等で長時間乾燥するステップをさらに含む。好ましくは、乾燥ステップは、３〜４０時間、その中でも特に８〜２０時間、例えば８〜１０時間等で実施される。
【００２６】
本発明に従い作製されるアクリル系ポリマービーズは、典型的には分子量が約１００キロダルトンであり、ガラス転移温度が約８０〜１２０℃であり、粒度が約５０〜５００μｍ、例えば２００〜５００μｍ（Ｘ５０）等である。このアクリル系ポリマービーズはＴｇが高いので、保管中におけるビーズの接着を防ぐためのケーキング防止剤はたとえ高温であっても不要である。さらに、乾燥前の残留モノマー含有量は、約８０〜１００℃、例えば９０℃等で長時間乾燥ステップを行った後、パーソナルケア用途に求められる上限を十分に下回るほど低い、すなわち２５０ｐｐｍ未満、特に１００ｐｐｍさえ下回る。
【００２７】
本発明によるアクリル系ポリマービーズは、典型的には、酸価が約１２５〜１４５ｍｇＫＯＨ／ｇである。
【００２８】
ガラス転移温度Ｔｇは、Ｇ．Ｋａｎｉｇ（Ｋｏｌｌｏｉｄ−Ｚｅｉｔｓｃｈｒｉｆｔ  ＆  Ｚｅｉｔｓｃｈｒｉｆｔ  ｆｕｒ  Ｐｏｌｙｍｅｒｅ，第１９０巻，ｐ．１，式１）によれば、ポリマーがガラス状の脆い状態からゴム状態に変化する境界点である。ポリマーのＴｇ値は、例えば、示差走査熱量測定（ＤＳＣ）等の技法を用いて実験的に測定することができる。
【００２９】
本発明によるアクリル系ポリマービーズは、例えば、ＤＳＭ  Ｎｕｔｒｉｔｉｏｎａｌ  ｐｒｏｄｕｃｔｓ  Ｌｔｄ．よりＴＩＬＡＭＡＲ（登録商標）Ｆｉｘ  Ａ１０００の商品名で入手可能である（ＩＮＣＩ：Ａｃｒｙｌａｔｅｓ  Ｃｏｐｏｌｙｍｅｒ（アクリレーツコポリマー）、化学名：２−メチル−２−プロペン酸、２−メチル−２−プロペン酸ブチル、２−メチル−２−プロペン酸エチル、および２−プロペン酸エチルの重合体、ＣＡＳ  Ｎｕｍｂｅｒ：１０７０１６６−９８−１）。
【００３０】
本発明によるアクリル系ポリマービーズを、例えば２−アミノ−２−メチルプロパノール（ＡＭＰ）を用いて中和すると、水、エタノール、および両者の混合物に完全に溶解し、幅広い用途に適したものとなる。特に、本発明によるアクリル系ポリマービーズは化粧料成分との混和性に優れ、化粧料用途、特にヘアケア用途等に特に適したものとなる。
【００３１】
したがって、さらなる実施形態において、本発明は、本発明によるアクリル系ポリマービーズおよび化粧料に許容される担体を含む化粧料組成物に関する。本明細書において用いられる「化粧料組成物」という用語は、特に哺乳動物の角質組織、例えば人間の皮膚や頭皮等に局所的に適用することができる化粧料組成物を指す。本出願に用いられる「化粧料組成物」という用語は、Ｒｏｅｍｐｐ  Ｌｅｘｉｋｏｎ  Ｃｈｅｍｉｅ，第１０版，１９９７，Ｇｅｏｒｇ  Ｔｈｉｅｍｅ  Ｖｅｒｌａｇ，シュトットガルト（Ｓｔｕｔｔｇａｒｔ），ニューヨーク（Ｎｅｗ  Ｙｏｒｋ）に収録されている表題「Ｋｏｓｍｅｔｉｋａ」に定義されている化粧料組成物およびＡ．Ｄｏｍｓｃｈ，「Ｃｏｓｍｅｔｉｃ  Ｃｏｍｐｏｓｉｔｉｏｎｓ」，Ｖｅｒｌａｇ  ｆｕｅｒ  ｃｈｅｍｉｓｃｈｅ  Ｉｎｄｕｓｔｒｉｅ，Ｈ．Ｚｉｏｌｋｏｗｓｋｙ編，第４版，１９９２に開示されている化粧料組成物を指す。
【００３２】
化粧料に許容される担体とは、化粧料組成物に従来使用されているあらゆる担体および／または賦形剤および／または希釈剤を指す。
【００３３】
化粧料組成物、特に本発明によるヘアケア製剤中における本発明によるアクリル系ポリマービーズの量は、所望の用途に適した量を当業者により容易に選択することができる。好ましくは、化粧料組成物の総重量の０．０１〜２０重量％、最も好ましくは０．０５〜１０重量％、特に約５重量％等の濃度で使用される。
【００３４】
本発明によるアクリル系ポリマービーズは、水、アルコール、およびこれらの混合物中への溶解性が良好であることに加えて、極めて優れたスタイリング性、例えば、高湿度下における極めて優れたカール保持性等を示す。したがって、本発明によるアクリル系ポリマービーズは特に整髪用途に適している。
【００３５】
したがって、他の実施形態において、本発明は、ヘアケア製剤、特に本発明によるアクリル系ポリマービーズを含む整髪剤等（例えば、水性整髪剤）に関する。
【００３６】
本発明によるヘアケア製剤は、（エアゾール式）スプレー、（エアゾール式）フォーム、ジェル、ジェルスプレー、クリーム、ローション、リキッド、またはワックスの形態であってもよい。ヘアスプレーには、エアゾール式スプレーだけでなく噴射剤を含まないポンプスプレーも包含される。ヘアフォームには、エアゾール式フォームだけでなく噴射剤を含まないポンプフォームも含まれる。ヘアスプレーおよびヘアフォームは、主として水溶性もしくは水分散性成分を含むかまたは水溶性もしくは水分散性成分のみを含む。本発明のヘアスプレーまたはヘアフォームに使用される成分が水分散性である場合、これらは粒度が通常は１〜３５０ｎｍ、好ましくは１〜２５０ｎｍの微分散液の形態にあってもよい。このような製剤の固形分は、典型的には製剤の総重量の０．５〜２０重量％の範囲にある。通常、このような微分散液は、これらを安定化させるためのさらなる乳化剤または界面活性剤を必要としない。特に、本発明による整髪剤は、スタイリングクリーム、スタイリングジェル、リキッドヘアセット剤、ヘアフォーム、またはヘアスプレーの形態にある。
【００３７】
さらに本発明によるアクリル系ポリマービーズは、ヘアスプレー等の整髪剤の配合に不可欠な、エタノールまたは水およびこれらの混合物中への極めて優れた溶解性を有している。さらに、本発明によるアクリル系ポリマービーズを含むエタノール溶液の、市販の噴射剤（プロパン／ブタン、ＤＭＥ）との混和性は、ルビマー（登録商標）アクリレートエマルジョンポリマーに匹敵し、したがってこのビーズは特にエアゾール式ヘアスプレーに使用するのに適している。
【００３８】
ヘアケア製剤、特に整髪剤等は、他の毛髪固定用樹脂、中和剤、界面活性剤、溶剤、噴射剤、他の防腐剤、増粘剤、ＵＶ遮蔽剤、およびこの種の製剤に通常用いられる他の添加剤も含んでいてもよい。
【００３９】
整髪剤中の本発明によるアクリル系ポリマービーズの量は、好ましくは、整髪剤の総重量を基準として、０．０１〜２０重量％の濃度範囲、より好ましくは０．１〜１０重量％の濃度範囲、特に１〜１０重量％の濃度範囲、例えば約５重量％等から選択される。
【００４０】
処方者が例えば毛髪を「より強固に」保持するなどの他の特性を付与することを所望する場合があり、その際は場合により他の毛髪固定用樹脂をヘアケア製剤に添加することができる。この、他の毛髪固定用樹脂は、整髪剤中に可溶であっても不溶であってもよい。この、他の毛髪固定樹脂は、整髪剤中に、整髪剤の総重量を基準として０．５〜６．０重量パーセント、好ましくは１．０〜３．０重量パーセントの濃度で存在してもよい。
【００４１】
ヘアケア製剤に好適な他の毛髪固定用樹脂としては、例えば、アクリル酸ブチル／アクリル酸エチル／メタクリル酸コポリマー；ポリビニルピロリドン；ビニルピロリドン／酢酸ビニルコポリマー；オクチルアクリルアミド／アクリル酸アルキル／メタクリル酸ブチルアミノエチルコポリマー；ビニルカプロラクタム／ビニルピロリドン／メタクリル酸ジメチルアミノエチルコポリマー；メタクリロイルエチルベタイン／メタクリル酸エステルコポリマー；メタクリル酸／メタクリル酸エステルコポリマー；メタクリル酸／アクリル酸エステルコポリマー；ビニルメチルエーテルおよび無水マレイン酸のコポリマーのアルキルエステル；ジアリルジメチルアンモニウムクロリド四級化ヒドロキシエチルセルロース；四級化ビニルピロリドン／メタクリル酸ジメチルアミノエチルコポリマー；またはこれらの組合せが挙げられる。
【００４２】
毛髪固定用樹脂がカルボン酸基等の酸性基を含む場合は、好ましくはヘアケア製剤中に中和剤を存在させることによって、この樹脂の水性整髪用組成物中への溶解性を高くする。例えば、アクリル系毛髪固定用樹脂は、好ましくは完全に中和されている。
【００４３】
毛髪固定用樹脂を中和するであろう塩基としては、例えば、アミン、アルカリまたはアルカリ土類金属水酸化物、水酸化アンモニウム、またはこれらの組合せが挙げられる。好適なアミン中和剤としては、例えば、２−アミノ−２−メチルプロパンジオール、２−アミノ２−メチルプロパノール、Ｎ，Ｎ−ジメチル−２−アミノ−２−メチル−１−プロパノール、モノイソプロパノールアミン、トリイソプロパノールアミン、エタノールアミン、トリエタノールアミン、モルホリン、またはこれらの組合せが挙げられる。好適なアルカリまたはアルカリ土類金属水酸化物としては、例えば、水酸化ナトリウム水酸化カリウム、またはこれらの組合せが挙げられる。好ましくは、中和剤は、２−アミノ２−メチルプロパンジオール、２−アミノ−２−メチルプロパノール、Ｎ，Ｎジメチル２−アミノ２−メチルプロパノール、水酸化カリウム、トリエタノールアミン、トリイソプロパノールアミン、またはこれらの組合せからなる群から選択される。
【００４４】
ヘアケア製剤に添加される中和剤の量は、好ましくは、整髪用組成物中の毛髪固定用樹脂に溶解性を付与する量である。好ましくは、３５重量パーセント以下のＶＯＣを含む整髪剤においては、毛髪固定用樹脂の酸基の４０〜１００モルパーセントが中和されている。３５重量パーセントを超えるＶＯＣを含むＶＯＣ整髪用組成物の場合は、好ましくは毛髪固定用樹脂の酸基の５０モルパーセント超が中和されている。
【００４５】
１種またはそれ以上の界面活性剤をヘアケア製剤に添加してもよい。ヘアケア製剤中に界面活性剤が存在する場合は、好ましくは、組成物の総重量を基準として０．００１〜１．０重量％の濃度で存在する。ヘアケア製剤に使用することができる界面活性剤としては、例えば、アニオン性、カチオン性、非イオン性、または両性界面活性剤が挙げられる。例えば、好適な界面活性剤としては、ＰＰＧ−２８ブテス（Ｂｕｔｅｔｈ）３５、ＰＥＧ−７５ラノリン、パーフルオロポリメチルイソプロピルエーテル、オクトキシノール−９、ＰＥＧ−２５水添ヒマシ油、ポリエチレンテレフタレート、トリオレイン酸ポリエチレングリコール−２５グリセリル、オレス−３リン酸、ＰＰＧ−５−セテス−１０リン酸、ＰＥＧ−２０メチルグルコースエーテル、トリ酢酸グリセレス−７、安息香酸グリセレス−７、ポリソルベート（トゥイーン（ＴＷＥＥＮ））等の脂肪酸エステル、もしくはｎ−オクチルピロリドン等のｎ−アルキル置換ラクタム、またはこれらの組合せが挙げられる。
【００４６】
１種またはそれ以上のシロキサン誘導体をヘアケア製剤中に存在させてもよい。これらを使用する場合、これらは好ましくは組成物の総重量を基準として０．００１〜１．０重量％の濃度で存在する。シロキサン誘導体としては、例えば、ジメチコン、フェニルトリメチコン、ジメチコノール、アモジメチコン、アルコキシル化ジメチコン、例えば、ＰＥＧ−１２ジメチコンまたはメトキシＰＥＧ／ＰＰＧ−７／３アミノプロピルジメチコンが挙げられる。
【００４７】
１種またはそれ以上の溶剤を本発明のヘアケア製剤に添加してもよい。溶剤はＶＯＣであってもＶＯＣでなくてもよい。ヘアケア製剤に添加される溶剤の量は、ヘアケア製剤の総重量を基準として約１００重量％以下の範囲、特に５５重量％以下の範囲等から選択することができる。好適な溶剤としては、例えば、Ｃ１〜Ｃ１２直鎖または分岐鎖のアルコール、例えばメタノール、エタノール、イソプロパノール、もしくはプロパノール、またはこれらの組合せが挙げられる。
【００４８】
エアゾール式スプレーを用いるヘアケア製剤には、１種またはそれ以上の噴射剤が使用される。噴射剤はＶＯＣであってもＶＯＣでなくてもよい。好ましくは、噴射剤は、ヘアケア製剤の総重量を基準として１０〜７０重量％、より好ましくは３０〜６０重量％の総濃度で使用される。噴射剤としては、例えば、ｎ−ブタン、イソブタン、ジメチルエーテル、ジメトキシメタン、ジフルオロエタン、クロロジフルオロエタン、クロロジフルオロメタン、他のクロロフルオロカーボン、またはこれらの組合せが挙げられる。好ましい噴射剤はジメチルエーテル、１，１−ジフルオロエタン、ｎ−ブタン、イソブタン、またはこれらの組合せである。これらの噴射剤は市販されている。
【００４９】
ヘアケア製剤中に使用することができる他の防腐剤としては、例えば、イソチアゾロン、ベンジルアルコール、またはイミダゾリジニル尿素が挙げられる。他の防腐剤は、好ましくは、ヘアケア製剤の総重量を基準として約０．００１〜１．０重量％の量で使用される。
【００５０】
ムースまたはスタイリングジェルの形態で毛髪に適用されるヘアケア製剤に１種またはそれ以上の増粘剤を用いることが望ましい場合がある。好適な増粘剤としては、例えば、多価カルボン酸増粘剤、（アクリレーツ／メタクリル酸ステアレス−２０）コポリマー、カルボマー、アクリレーツコポリマー、または（アクリル酸／アクリル酸アルキル（Ｃ１０−３０））クロスポリマー、ポリエトキシル化ウレタン増粘剤、ポリアミド増粘剤等が挙げられる。他の好適な増粘剤は、多糖類やポリアミド等の天然高分子をベースとし、化学変性が可能なものである。このような増粘剤としては、例えば、ヒドロキシエチルセルロース、ヒドロキシプロピルセルロース、キタンサンガム、ゼラチン、寒天、カラギーナン、アルギン酸塩、またはこれらの混合物が挙げられる。増粘剤は、好ましくは、ヘアケア製剤の総量を基準として約０．００１〜５．０重量％の量で使用される。
【００５１】
１種またはそれ以上の光遮蔽剤が本発明によるヘアケア製剤に望ましい場合がある。光遮蔽剤は、ＵＶ−Ａ、ＵＶ−Ｂ、ＵＶ−Ｃ、および／または広帯域遮蔽剤から、特に市販の幅広く使用されているＵＶ遮蔽物質である、オクトクリレン（パーソル（ＰＡＲＳＯＬ）（登録商標）３４０）、４−メチルベンジリデンカンファー（パーソル（登録商標）５０００）、メトキシケイ皮酸エチルヘキシル（パーソル（登録商標）ＭＣＸ）、エチルヘキシルトリアゾン（ユビヌル（Ｕｖｉｎｕｌ）（登録商標）Ｔ−１５０）、ジエチルヘキシルブタミドトリアゾン（ユバソーブ（Ｕｖａｓｏｒｂ）（登録商標）ＨＥＢ）、２，２’−メチレンビス−（６−（２Ｈ−ベンゾトリアゾール−２−イル）−４−（１，１，３，３，−テトラメチルブチル）−フェノール（チノソーブ（Ｔｉｎｏｓｏｒｂ）（登録商標）Ｍ）、ビスエチルヘキシルオキシフェノールメトキシフェニルトリアジン（チノソーブ（登録商標）Ｓ）、２，２−（１，４−フェニレン）ビス−（１Ｈ−ベンズイミダゾール−４，６−ジスルホン酸（ネオヘリオパン（ＮｅｏＨｅｌｉｏｐａｎ）（登録商標）ＡＰ）、２−（４−ジエチルアミノ−２−ヒドロキシ−ベンゾイル）安息香酸ヘキシルエステル（ユビヌル（登録商標）Ａ  ｐｌｕｓ）、ポリシリコーン−１５（パーソル（登録商標）ＳＬＸ）、２−フェニルベンズイミダゾールスルホン酸（パーソル（登録商標）ＨＳ）、サリチル酸エチルヘキシル（パーソル（登録商標）ＥＨＳ）、サリチル酸ホモメンチル（パーソル（登録商標）ＨＭＳ）、ベンゾフェノン−３（ユビヌル（登録商標）Ｍ  ４０）、ベンゾフェノン−４（ユビヌル（登録商標）ＭＳ  ４０）、ＰＥＧ−２５  ＰＡＢＡ、これらの混合物等から有利に選択される。
【００５２】
光遮蔽剤は、通常、本発明による組成物中に、組成物の総重量に対し０．００１〜５重量％の範囲、好ましくは０．０１〜１重量％の範囲、最も好ましくは０．０２〜０．５重量％の範囲の比率で存在する。
【００５３】
さらに、当業者に慣用されているものなどの他の添加剤を本発明によるヘアケア製剤に添加してもよい。ヘアケア製剤に使用される他の添加剤は、所望のヘアケア製剤の種類に応じて異なるであろう。他の添加剤としては、例えば、香料；ソルビトール、プロパンジオール、ブチレングリコール、グリセリン、加水分解シルク蛋白、加水分解コムギ蛋白等の保湿剤；パンテノール等の絡まり防止剤（ｄｅｔａｎｇｌｉｎｇ  ａｉｄ）；米国特許第５，１６４，１７７号明細書に開示されているものなどのコンディショニング剤；乳化剤；帯電防止剤；抽出物；蛋白質；ビタミン；染料；毛髪染料；着色剤；またはこれらの組合せが挙げられる。この、他の添加剤は、典型的には、ヘアケア製剤の総重量を基準として０．００５〜５重量％、より好ましくは０．０１〜１重量％で存在する。
【００５４】
ヘアケア用組成物に好適となり得るさらなる他の添加剤ならびにさらなる界面活性剤、溶剤、他の防腐剤、および増粘剤は、Ｉｎｔｅｒｎａｔｉｏｎａｌ  Ｃｏｓｍｅｔｉｃ  Ｉｎｇｒｅｄｉｅｎｔｓ  Ｄｉｃｔｉｏｎａｒｙ（第５版，１９９３，ＣＴＦＡ（ワシントンＤＣ（Ｗａｓｈｉｎｇｔｏｎ  Ｄ．Ｃ．））発行）に記載されている。
【００５５】
本発明の方法および組成物をさらに例示する目的で以下に実施例を示す。これらの実施例は例示のみを目的とするものであって、本発明の範囲を何らかの形で制限することを意図するものではない。
【００５６】
［実施例１］
窒素導入口を備えたガラス製３ッ口反応フラスコ内でステンレス鋼製バッフルよびスターラーを用いて重合反応を実施した。
【００５７】
ヒドロキシルエチルセルロース（安定剤）（２．４ｇ）を蒸留水（１１０５ｇ）を含む反応フラスコに計量した。過酸化ジラウロイル（連鎖開始剤（ｃｈａｉｎ  ｓｔａｒｔｅｒ））（３．６ｇ）およびドデシルメルカプタン（連鎖移動剤）（１．９ｇ）を含む別個の撹拌型供給槽に、以下に示す比率のメタクリル酸ｎ−ブチル（ＢＭＡ）、メタクリル酸エチル（ＥＭＡ）、アクリル酸エチル（ＥＡ）、およびメタクリル酸（ＭＭＡ）からなるモノマー混合物４８０ｇを計量した。供給槽を均質化した後、窒素置換を継続しながら混合物を反応フラスコに移し替え、徐々に７５℃まで加熱した。この温度を４時間維持して硬質ビーズ段階（ｈａｒｄ  ｂｅａｄ  ｓｔａｇｅ）に到達させた。硬質ビーズ段階を確立した後、反応フラスコの内容物を８５℃に加熱し、この温度でさらに２時間静置した。その後反応器の内容物を冷却し、最終懸濁液を濾過して洗浄し、４０〜５０℃で１４〜１６時間乾燥させることにより各ポリマービーズを９０〜９５％の収率で得た。指示がある場合は、得られたアクリル系ポリマービーズをさらに９０℃で１４〜１６時間の長時間乾燥工程に付し、こうすることによって２１０ｐｐｍを下回るかまたは１００ｐｐｍさえ下回る残留モノマー含有量を得た。
【００５８】
残留モノマー含有量をヘッドスペースガスクロマトグラフィーで分析し、分子量（ＭＷ）をゲル浸透クロマトグラフィーで測定し、Ｔｇを示差走査熱量測定（ＤＳＣ）で、粒度（ＰＳ）をいわゆるマルバーン・ハイドロ２０００マスターサイザー（Ｍａｌｖｅｒｎ  Ｈｙｄｒｏ  ２０００  Ｍａｓｔｅｒｓｉｚｅｒ）で測定する。この装置は水中環境に曝された試料の体積分布を光学的に（レーザー回折により）測定するものである。ここに述べるＸ５０は、測定した体積分布全体の平均粒度である。
【００５９】
【表１】
0005585856.tif 000002
【００６０】
【表２】
0005585856.tif 000003
【００６１】
表２から読み取れるように、ＥＭＡ対ＥＡ（ｗ／ｗ）の比を１．３〜２の範囲から選択し、かつＭＡＡを１５〜２２％の量で使用した場合に最適な結果が得られる。
【００６２】
［比較試験］
上に概要を記載した実験を、以下に示すようにＥＭＡをメタクリル酸メチル（ＭＭＡ）またはイタコン酸（ＩＴＡ）に置き換えて行った。ところが、表２ａから読み取れるように、この置換を行ったことによって、モノマーが凝集して反応が完全に失敗に終わったために生成物が全く得られなかった（登録番号２）か、または収率が大幅に低下（７１％）するだけでなくＩＴＡがポリマーに組み込まれなかったために残留モノマー含有量が大幅に上昇した（７０５８ｐｐｍ）（登録番号３）かのいずれかとなった。
【００６３】
【表３】
0005585856.tif 000004
【００６４】
この結果から、ＥＭＡを共重合させることによって本発明によるアクリル系ポリマービーズのモノマー含有量を大幅に低減させることが可能であることがわかる。さらに、ＥＭＡに替えて他のモノマー構成単位を用いた場合と比較すると、本発明によるアクリル系ポリマービーズは良好な収率および高純度で得ることができる。さらに、本発明によるアクリル系ポリマービーズは、整髪用途の市場基準である、例えば、上述の方法に従い測定された総モノマー含有量が４２５ｐｐｍであるルビマー（登録商標）１００Ｐ（メタクリル酸、アクリル酸ｔｅｒｔ−ブチル、およびアクリル酸エチルからなるアクリレートエマルジョンポリマー）等と比較しても、総モノマー含有量は非常に低い。
【００６５】
［実施例２］：アクリル系ポリマービーズのエタノール、水、およびこれらの混合物への［溶解性］
表２のビーズを使用し、米国のＶＯＣガイドラインに準拠した「ＶＯＣ  ８０」および「ＶＯＣ  ５５」配合として、エタノール／水の混合物に関する試験を行った。アクリル系ポリマービーズはＶＯＣ配合のエタノールまたは水相のいずれかに容易に混合することができる。
【００６６】
［エタノールへの溶解性］
表２に従うアクリル系ポリマービーズ（５重量％）は、各ＶＯＣ配合に必要なエタノール量の２０重量％に容易に分散した。その後、ＡＭＰ（９０〜１００％の中和度を達成するのに十分な量）を添加し、分散液を１０〜１５分間撹拌してそれぞれビーズを溶解させた。エタノールおよび水（ＶＯＣ  ８０および５５の場合）の残分を１００％まで添加して配合を完了させる。
【００６７】
［水への溶解性］
各ＶＯＣ配合に必要な水の量の計算値の３０％を６０℃に加熱する。次いで、表２に従うアクリル系ポリマービーズ５重量％を分散させ、ＡＭＰ（９０〜１００％の中和度を達成するのに十分な量）を添加し、分散液を６０℃で撹拌することによりビーズを完全に溶解させる（１０〜１５分間）。次いで、水および／またはエタノールの残分を添加する。
【００６８】
表２に従う各ビーズを含むＶＯＣ  ８０配合もＶＯＣ  ５５配合もすべて透明であり、沈殿を一切含まなかった（目視による判定）。
【００６９】
［実施例３：溶解性の評価］
表３に示す配合物を標準的な手順に従って調製し、標準的なヘアケア製剤中へのアクリル系ポリマービーズ（５重量％）の溶解性を測定し、また、ＩＳＯ  ７０２７に準拠して、ＨＡＣＨ  ２１００  Ｎ  ＩＳ濁度計１１５  Ｖａｃを用いて濁度を測定した（濁度の閾値はＮＴＵ≧５（ＮＴＵ＜５は目視で透明な溶液を意味する））。さらに、溶液を目視で評価した。
【００７０】
【表４】
0005585856.tif 000005
【００７１】
ここからわかるように、どの値も閾値である「水晶のように透明な」ＮＴＵ＝５を大幅に下回り、配合物は透明である。
【００７２】
［実施例４：高湿度カール保持性試験］
毛束（Ｋｅｒｌｉｎｇ；Ａｒｔ．Ｎｒ．８２６  ５００）を２ｃｍ幅の付け毛（ｓｗｉｔｃｈ）にカットする。各付け毛を洗髪用シャンプー０．５ｍＬ（ラウレス硫酸ナトリウム１０％／塩化ナトリウム４％）を用いて３０秒間泡立て、９０秒間温水で濯ぐことにより２回洗浄する。付け毛を櫛で５回梳かし、２０℃、相対湿度６５％の環境調整室で少なくとも４時間乾燥させる。この条件下で付け毛の重量を毛髪に関し２ｇ±０．２ｇ（ゴム被覆を除く）となるよう標準化する。付け毛を水１ｇで湿らせ、ポリマー溶液（ＥｔＯＨ中５重量％のＴＩＬＡＭＡＲ（登録商標）Ｆｉｘ  Ａ１０００をＡＭＰ−９５で１００％中和したもの）０．３ｇを根元から毛先に向けてシリンジで適用することにより均一に湿らせた後、櫛で５回梳かす。次いで、付け毛を直径１２ｍｍのスパイラルカーラー（Ｂａｓｌｅｒ  Ｈａａｒｋｏｓｍｅｔｉｋ  Ａｒｔ．  １２９３９）でカールさせる。
【００７３】
毛髪とカーラーとを一緒に４５℃で４０分間乾燥させる。次いで、カーラーを２０℃／相対湿度６５％の環境調整室に一夜静置する。カールした毛髪をカーラーから慎重に外し、テーブルに載せて初期長Ｌ０を測定する。次いで、２０℃／相対湿度９０％の環境調整室にこのカールした毛髪をゴム被覆部から吊り下げ、以下の時点で長さＬｔを測定する：０分、１５分、３０分、４５分、６０分、９０分、１２０分、２４０分、および３６０分。各試料毎に３本の付け毛を準備する。カール保持性の数値を以下のように求める：
【数１】
0005585856.tif 000006
Ｌ＝カールさせる前の毛髪の長さ（２３０ｍｍ）
Ｌ０＝テーブルで乾燥させた後のカールの長さ
Ｌｔ＝吊り下げたカールの時間ｔ後の長さ
【００７４】
１種類の試料につき３本の付け毛のカール保持性の値を平均し、この値をカール保持性とする。
【００７５】
それぞれのカール保持性を、市販のポリマーから選択した基準と一緒に測定する。
【００７６】
結果を表４にまとめる。
【００７７】
【表５】
0005585856.tif 000007
【００７８】
本発明によるアクリル系ポリマービーズが、特に長時間において、市販の基準すなわちＭＡＡ、アクリル酸ｔｅｒｔ−ブチル、およびＥＡを含むアクリレートエマルジョンポリマー（ルビマー（登録商標）Ｐ１００）よりも性能が高いことが明白である。
【００７９】
［実施例５：サロン試験］
表５に列挙した成分を含む原液（ｂｕｌｋ  ｓｏｌｕｔｉｏｎ）を調製し、この原液をエアゾール式ヘアスプレーとして標準的な手順に従い表６に概要を示すように容器に充填した。
【００８０】
【表６】
0005585856.tif 000008
【００８１】
【表７】
0005585856.tif 000009
【００８２】
［一般的な試験設計］
一般的な設備を持つ標準的な美容室において１０人のパネルに対しすべての試験を実施する。通常の手順に従い、モデルに洗髪、カット、染毛、ブリーチ、パーマ、乾燥（自然乾燥またはブロー乾燥）等の処置を施す。モデルの個々の希望に添ってスタイリングする。最後にヘアスプレーを目や顔に直接かからないようにして毛髪全体に２０〜３０ｃｍ（ミディアム〜ロングヘアーは約１５ｃｍ）の距離から片側が５秒間（ロングヘアーは長めに）となる速度でかける。
【００８３】
適用が終了したら、スタイリストが自身の指、手、櫛、ブラシ、および目で製品性能の評価を開始する。
【００８４】
［結果］
左右比較試験（ｈａｌｆ  ｓｉｄｅ  ｔｅｓｔ）によりヘアスプレー「Ａ」を基準であるヘアスプレー「Ｂ］に対し評価した。表６から読み取れるように、本発明のビーズを含むヘアスプレー「Ａ」の性能は、保持力、架橋性（ｃｒｏｓｓｌｉｎｋｉｎｇ）、ツヤ、および整髪性に関する評点が全体的に大きく上回っていた。
【００８５】
【表８】
0005585856.tif 000010
【００８６】
［実施例６：噴射剤の混和性］
ＴＩＬＡＭＡＲ（登録商標）Ｆｉｘ  Ａ１０００ポリマーの５％エタノール溶液２０ｍＬを試験管に加える。ガラスを密閉する。エアゾールバルブを介して噴射剤を充填する（容器から容器へ）。
噴射剤：プロパン／ブタン（２．５バール）、またはＤＭＥ
試験評価基準：１相か２相か
透明であること、濁りがないこと、沈殿がないこと
結果：プロパン／ブタンの曇り点：４７％（固形分５％）。ＤＭＥは３２％まで透明（固形分５％）。沈殿を認めず。
【００８７】
これらの結果から、本発明によるアクリル系ポリマービーズは様々な噴射剤と混和性を有していることがわかる。
【００８８】
［実施例７：配合］
本発明によるアクリル系ビーズ、特にＴＩＬＡＭＡＲ（登録商標）Ｆｉｘ  Ａ１０００（ＩＮＣＩ：Ａｃｒｙｌａｔｅｓ  Ｃｏｐｏｌｙｍｅｒ（アクリレーツコポリマー）、化学名：２−メチル−２−プロペン酸、２−メチル−２−プロペン酸ブチル、２−メチル−２−プロペン酸エチル、および２−プロペン酸エチルを含むポリマー、ＣＡＳ  Ｎｕｍｂｅｒ：１０７０１６６−９８−１）等は、独特の製品形態を呈し、高湿度下におけるカール保持性に優れ、噴射剤との混和性に優れ、取扱いが容易であり、毛髪に自然な手触りを与える。したがって、本発明によるアクリル系ビーズ、特にＴＩＬＡＭＡＲ（登録商標）Ｆｉｘ  Ａ１０００は、以下に例示するように（これらに限定されるものではないが）、多種多様な製品形態に混合することが可能である。
【００８９】
【表９】
0005585856.tif 000011
【００９０】
手順：成分（Ｐｏｓ．）１〜成分１０を混合する。
【００９１】
【表１０】
0005585856.tif 000012
【００９２】
手順：成分１および成分８を混合し、これを６０℃に加熱する。成分４を加えて透明な溶液が形成されるまで撹拌する。成分９を成分６に加熱しながら溶解させる。成分２、３、５、７と、成分９のグリセリン溶液とをポリマー溶液に加え、この溶液を８０℃に加熱する。１０分後、４０℃に冷却し、撹拌しながら香料を加え、全量を容器に詰める。数時間後、固形ワックスが形成される。
【００９３】
【表１１】
0005585856.tif 000013
【００９４】
【表１２】
0005585856.tif 000014
【００９５】
【表１３】
0005585856.tif 000015
【００９６】
手順：成分９を用いてｐＨを７．７に調整し、粘度を２０００ｍＰａｓにする。水を加えて全量を１００％にする。
【００９７】
【表１４】
0005585856.tif 000016
【００９８】
手順：この溶液を適当な缶に充填し（アルミニウム、ブリキ）、エアゾールバルブをカシメ付けし、噴射剤を添加する。噴射剤、有効液：噴射剤の比率、およびアクチュエータは、噴霧速度、噴霧様式、粒度、および粒度分布に関する製品の要件に応じて選択する。典型的な組成は、有効液６０％：プロパン／ブタン（２．５バール）４０％（高ＶＯＣ）または有効液５５％：ＨＦ  １５２Ａ４５％（非水系ＶＯＣ５５ヘアスプレーの場合）であろう。
【００９９】
【表１５】
0005585856.tif 000017
【０１００】
手順：Ａ部：撹拌しながら、エタノールをＡＭＰ  ＰＣ  ２０００と混合する。ＴＩＬＡＭＡＲ（登録商標）Ｆｉｘ  Ａ１０００を加え、均一になるまで撹拌する。この部分は透明になるはずである。Ｂ部：撹拌しながら、エタノール（ＩＩ部）を溶液に加える。他のすべての成分を段階的に加え、撹拌する。Ｃ部：撹拌しながら、水を溶液に加える。溶液は透明になるはずである。
【０１０１】
【表１６】
0005585856.tif 000018
【０１０２】
手順：Ａ部：撹拌しながら、エタノールをＡＭＰ  ＰＣ  ２０００  １０００と混合する。ＴＩＬＡＭＡＲ（登録商標）Ｆｉｘ  Ａ１０００を加え、均一になるまで撹拌する。この部分は透明になるはずである。
Ｂ部：撹拌しながら、エタノールＩＩ部を溶液に加える。他のすべての成分を段階的に加え、撹拌する。Ｃ部：プロパン／ブタンを加える。
【０１０３】
【表１７】
0005585856.tif 000019
【０１０４】
手順：Ａ部：撹拌しながら、水（Ｉ部）をＡＭＰ  ＰＣ  ２０００と混合する。ＴＩＬＡＭＡＲ（登録商標）Ｆｉｘ  Ａ１０００を加えて均一になるまで撹拌する。８０℃に加熱する。この部分は透明になるはずである。Ｂ部：撹拌しながら、別の容器でセチオールＨＥ、オイムルギンＢ３、およびテゴソフトＭを合一する。同一温度まで加熱する。十分に混合したらステップ２をステップ１に加え、８０℃で３〜５分間維持する。Ｃ部の成分を段階的に加える。混合速度を減速し、室温に冷却する。香料、防腐剤、およびビタミンＥを５０℃〜５５℃で加え、冷却を継続する。
【０１０５】
【表１８】
0005585856.tif 000020
【０１０６】
手順：Ａ部：撹拌しながら、エタノールをＡＭＰ  ＰＣ  ２０００と混合する。ＴＩＬＡＭＡＲ（登録商標）Ｆｉｘ  Ａ１０００を加えて均一になるまで撹拌する。この部分は透明になるはずである。Ｂ部：撹拌しながら、エタノール（ＩＩ部）を溶液に加える。他の成分を段階的に加え、撹拌する。
【０１０７】
【表１９】
0005585856.tif 000021
【０１０８】
手順：Ａ部：撹拌しながら、エタノールをＡＭＰ  ＰＣ  ２０００と混合し、均一になるまで撹拌する。ＴＩＬＡＭＡＲ（登録商標）Ｆｉｘ  Ａ１０００を加えて均一になるまで撹拌する。この部分は透明になるはずである。Ｂ部：撹拌しながら、エタノール（ＩＩ部）を溶液に加える。他のすべての成分を段階的に加え、撹拌する。
【０１０９】
【表２０】
0005585856.tif 000022
【０１１０】
手順：Ａ部：撹拌しながら、エタノールをＡＭＰ  ＰＣ  ２０００と混合する。ＴＩＬＡＭＡＲ（登録商標）Ｆｉｘ  Ａ１０００を加えて均一になるまで撹拌する。この部分は透明になるはずである。Ｂ部：撹拌しながら、エタノール（ＩＩ部）を溶液に加える。他のすべての成分を段階的に加え、撹拌する。Ｃ部：プロパン／ブタンを加える。
【０１１１】
【表２１】
0005585856.tif 000023
【０１１２】
手順：Ａ部：撹拌しながら、エタノールをＡＭＰ  ＰＣ  ２０００と混合する。ＴＩＬＡＭＡＲ（登録商標）Ｆｉｘ  Ａ１０００を加えて均一になるまで撹拌する。この部分は透明になるはずである。Ｂ部：撹拌しながら、エタノール（ＩＩ部）を溶液に加える。他のすべての成分を段階的に加え、撹拌する。Ｃ部：容器に充填してカシメ付けした後にプロパン／ブタンを加える。
【０１１３】
【表２２】
0005585856.tif 000024
【０１１４】
手順：Ａ部：撹拌しながら、エタノールをＡＭＰ  ＰＣ  ２０００と混合する。ＴＩＬＡＭＡＲ（登録商標）Ｆｉｘ  Ａ１０００を加えて均一になるまで撹拌する。この部分は透明になるはずである。Ｂ部：撹拌しながら、エタノール（ＩＩ部）を溶液に加える。他のすべての成分を段階的に加え、撹拌する。Ｃ部：容器に充填してカシメ付けした後にＤＭＥを加える。
【０１１５】
［実施例８］
レセント（ｒｅｓｅｎｔ）発明によるポリマー、特にＴＩＬＡＭＡＲ（登録商標）Ｆｉｘ  Ａ１０００等は、さらに性能を改善するために他の市販の整髪用ポリマーと容易に組み合わせることもできる。以下の部分に幾つかの基本的な配合例を示すが、これらに限定されるものではない。
【０１１６】
［８．１．ダウより入手可能な整髪用ポリマーとの併用：］
以下に示す濃度は例示的なものであり、要求に応じて１〜１０％の範囲で変化させることができる。
【０１１７】
【表２３】
0005585856.tif 000025
【０１１８】
［８．２．ＢＡＳＦより入手可能な整髪用ポリマーとの併用：］
以下に示す濃度は例示的なものであり、要求に応じて１〜１０％の範囲で変化させることができる。
【０１１９】
【表２４】
0005585856.tif 000026
【０１２０】
［８．２．続き］
以下に示す濃度は例示的なものであり、要求に応じて１〜１０％の範囲で変化させることができる。
【０１２１】
【表２５】
0005585856.tif 000027
【０１２２】
［８．３．アクゾ・ノーベルより入手可能な整髪用ポリマーとの併用：］
以下に示す濃度は例示的なものであり、要求に応じて１〜１０％の範囲で変化させることができる。
【０１２３】
【表２６】
0005585856.tif 000028
【０１２４】
［８．４．ルーブリゾール（Ｌｕｂｒｉｚｏｌ）より入手可能な整髪ポリマーとの併用：］
以下に示す濃度は例示的なものであり、要求に応じて１〜１０％の範囲で変化させることができる。
【０１２５】
【表２７】
0005585856.tif 000029